(57)【要約】【課題】不良を低減し、信頼性を向上することができる表示パネルを提供する。【解決手段】表示パネル１０は、複数の画素が形成された多角形状の表示領域１と、表示領域１の外側に隣接して位置する非表示領域３と、第１の辺２ａおよび第２の辺２ｂを含む複数の辺を境界として、非表示領域３の外側に隣接して位置する引き出し領域４ａ、４ｂ、４ｃ、４ｄとを含み、引き出し領域４ａ、４ｂ、４ｃ、４ｄは、非表示領域３との境界近傍で表示領域１の表示側と逆の方向に折り曲げられ、非表示領域３は、第１の辺２ａおよび第２の辺２ｂの間に位置し、第１の辺２ａの延長線と第２の辺２ｂの延長線との交点よりも表示領域側に形成された切り欠き部５ａを有する。【選択図】図１Ａ
2014132319.tif 000002
【特許請求の範囲】
【請求項１】
複数の画素が形成された多角形状の表示領域と、
前記表示領域の外側に隣接して位置する非表示領域と、
隣り合う第１の辺および第２の辺を含む複数の辺を境界として、前記非表示領域の外側に隣接して位置する引き出し領域とを含み、
前記引き出し領域は、前記非表示領域との境界近傍で前記表示領域の表示側と逆の方向に折り曲げられ、
前記非表示領域は、前記第１の辺および前記第２の辺の間に位置し、前記第１の辺の延長線と前記第２の辺の延長線との交点よりも前記表示領域側に形成された切り欠き部を有する、
表示パネル。
【請求項２】
前記第１の辺の延長線と前記第２の辺の延長線との交点から前記表示領域の複数の角のうち前記交点に最も近い角までの直線上において、前記切り欠き部が形成された範囲は、前記切り欠き部が形成されていない範囲よりも短い、
請求項１に記載の表示パネル。
【請求項３】
前記表示パネルは、
前記表示領域、前記非表示領域および前記引き出し領域に設けられ、前記表示領域の表示側である光取り出し側に位置する第１の基板と、
前記表示領域、前記非表示領域および前記引き出し領域に設けられ、前記第１の基板に対向して位置する第２の基板と、
前記表示領域に設けられ、前記第１の基板と前記第２の基板とに挟持された電気光学層とを備える、
請求項１または２に記載の表示パネル。
【請求項４】
前記切り欠き部は、
前記第１の基板に形成された第１の基板切り欠き部と、
前記第２の基板に形成された第２の基板切り欠き部とを有し、
前記第２の基板切り欠き部の面積よりも前記第１の基板切り欠き部の面積が大きい、
請求項３に記載の表示パネル。
【請求項５】
前記第１の基板は、前記非表示領域および前記引き出し領域において前記第２の基板よりも面積が小さく、かつ、前記第２の基板切り欠き部が形成されていない領域に形成されている、
請求項４に記載の表示パネル。
【請求項６】
前記引き出し領域は、湾曲形状に折り曲げられており、
前記湾曲形状の湾曲開始位置は、前記第１の辺および前記第２の辺に接する、
請求項１から５のいずれか１項に記載の表示パネル。
【請求項７】
前記表示領域は四角形の形状であり、
前記非表示領域は、前記表示領域を囲み、前記第１の辺および前記第２の辺を含む四辺および前記切り欠き部によって囲まれる、
請求項１から６のいずれか１項に記載の表示パネル。
【請求項８】
前記四辺は、前記第１の辺と、前記第２の辺と、前記第２の辺に隣り合う第３の辺と、前記第１の辺および前記第３の辺に隣り合う第４の辺とを含み、
前記表示パネルは、前記第２の辺および前記第３の辺の間と、前記第３の辺および前記第４の辺の間と、前記第４の辺および前記第１の辺の間とにおいて、それぞれ、前記第２の辺の延長線と前記第３の辺の延長線との交点よりも前記表示領域側、前記第３の辺の延長線と前記第４の辺の延長線との交点よりも前記表示領域側、前記第４の辺の延長線と前記第１の辺の延長線との交点よりも前記表示領域側に切り欠きが形成され、
前記引き出し領域は、前記第１から第４の辺を境界として、前記非表示領域の外側に隣接して位置する互いに独立の４つの領域からなる、
請求項７に記載の表示パネル。
【請求項９】
請求項１から８のいずれかに１項に記載の表示パネルと、前記表示パネルが固定される支持部材と、を備え、前記表示パネルは、前記表示領域の表示側と逆の方向に折り曲げられて前記支持部材に固定される、
表示装置。
【請求項１０】
前記支持部材は、前記表示パネルの前記表示領域および前記非表示領域からなる領域と略同一の形状をした表面と、前記表面の周囲に位置する側面とを有し、
前記表示パネルの前記表示領域および前記非表示領域は、前記支持部材の前記表面上に配置され、前記表示パネルの前記引き出し領域は、前記支持部材の前記側面上に配置される、
請求項９に記載の表示装置。
【発明の詳細な説明】
【技術分野】
【０００１】
本発明は、表示パネルに関し、特に、この表示パネルが固定された表示装置を複数配列することで、より大きい画面の表示領域を構成可能な表示パネルに関する。
【背景技術】
【０００２】
近年、ディスプレイ装置や照明装置などの表示装置は、益々大型化する傾向がある。こうした大型化においては、製造や運搬、メンテナンスの観点から、単一の大型表示パネルで大面積の表示領域を構成するよりも、小型の表示パネルを継ぎ合わせて大型化する方が利点が大きいと考えられている。
【０００３】
特許文献１においては、表示パネルの端部を後方に折曲し、この後方折曲部に信号用コネクタを配置した表示ユニットが開示されている。このような表示ユニットを複数継ぎ合わせることにより、表示装置の大型化を実現することができる。
【先行技術文献】
【特許文献】
【０００４】
【特許文献１】特開昭６１−２２３８７８号公報
【発明の概要】
【発明が解決しようとする課題】
【０００５】
しかしながら、特許文献１のように、表示パネルを折り曲げて表示ユニットを構成する場合、表示パネルを折り曲げる際に、表示パネルの折り曲げ辺と折り曲げ辺とが交差する隅部において、強い応力がかかることによって歪みが生じ、表示パネルが破断するといった課題が発生する。
【０００６】
本発明は、上記課題に鑑みてなされたものであり、不良を低減し、信頼性を向上することができる表示パネル等を提供することを目的とする。
【課題を解決するための手段】
【０００７】
上記課題を解決するために、本発明に係る表示パネルは、複数の画素が形成された多角形状の表示領域と、前記表示領域の外側に隣接して位置する非表示領域と、隣り合う第１の辺および第２の辺を含む複数の辺を境界として、前記非表示領域の外側に隣接して位置する引き出し領域とを含み、前記引き出し領域は、前記非表示領域との境界近傍で前記表示領域の表示側と逆の方向に折り曲げられ、前記非表示領域は、前記第１の辺および前記第２の辺の間に位置し、前記第１の辺の延長線と前記第２の辺の延長線との交点よりも前記表示領域側に形成された切り欠き部を有する。
【発明の効果】
【０００８】
本発明に係る表示パネルによれば、不良を低減し、信頼性を向上させることができる。
【図面の簡単な説明】
【０００９】
【図１Ａ】実施の形態に係る表示パネルの概略構成を模式的に示す図である。
【図１Ｂ】実施の形態に係る表示パネルの切り欠き部の拡大図である。
【図２】切り欠き部の他の一例を示す図である。
【図３】実施の形態に係る表示パネルの一画素の構成を示す断面図である。
【図４】図４の（ａ）は、実施の形態に係る表示装置の構成を示す上面図であり、図４の（ｂ）は、（ａ）のａ−ａ線における表示装置の側断面図である。
【図５】実施の形態に係る表示装置の角部の拡大図である。
【図６】複数個の表示装置を組み合わせることによって構成されるディスプレイの概略構成を示す斜視図である。
【発明を実施するための形態】
【００１０】
上記目的を達成するために、本発明の一態様に係る表示パネルは、複数の画素が形成された多角形状の表示領域と、前記表示領域の外側に隣接して位置する非表示領域と、隣り合う第１の辺および第２の辺を含む複数の辺を境界として、前記非表示領域の外側に隣接して位置する引き出し領域とを含み、前記引き出し領域は、前記非表示領域との境界近傍で前記表示領域の表示側と逆の方向に折り曲げられ、前記非表示領域は、前記第１の辺および前記第２の辺の間に位置し、前記第１の辺の延長線と前記第２の辺の延長線との交点よりも前記表示領域側に形成された切り欠き部を有する。
【００１１】
これにより、第１の辺および第２の辺の間に位置する切り欠き部近傍にかかる応力を緩和することができるので、応力による表示パネルの破断を抑制できる。したがって、不良を低減し、信頼性を向上させることができる。
【００１２】
また、例えば、前記第１の辺の延長線と前記第２の辺の延長線との交点から前記表示領域の複数の角のうち前記交点に最も近い角までの直線上において、前記切り欠き部が形成された範囲は、前記切り欠き部が形成されていない範囲よりも短くてもよい。
【００１３】
これにより、表示パネルの端面から表示領域までの距離を確保できるので、切り欠き部から表示領域への水分の浸入による画素の発光不良を抑制できる。
【００１４】
また、例えば、前記表示パネルは、前記表示領域、前記非表示領域および前記引き出し領域に設けられ、前記表示領域の表示側である光取り出し側に位置する第１の基板と、前記表示領域、前記非表示領域および前記引き出し領域に設けられ、前記第１の基板に対向して位置する第２の基板と、前記表示領域に設けられ、前記第１の基板と前記第２の基板とに挟持された電気光学層とを備えてもよい。
【００１５】
また、例えば、前記切り欠き部は、前記第１の基板に形成された第１の基板切り欠き部と、前記第２の基板に形成された第２の基板切り欠き部とを有し、前記第２の基板切り欠き部の面積よりも前記第１の基板切り欠き部の面積が大きくてもよい。
【００１６】
これにより、第１の辺および第２の辺の間に位置する切り欠き部近傍にかかる応力を更に緩和することができる。具体的には、表示パネルを折り曲げる際には、第１の基板にかかる応力が第２の基板にかかる応力よりも大きい。よって、このように第２の基板切り欠き部の面積よりも第１の基板切り欠き部の面積を大きくすることにより、第１の基板にかかる応力をより大きく緩和することができる。したがって、第１の基板切り欠き部の面積と第２の基板切り欠き部の面積とが同じである場合と比較して、切り欠き部近傍にかかる応力を更に緩和することができる。
【００１７】
また、例えば、前記第１の基板は、前記非表示領域および前記引き出し領域において前記第２の基板よりも面積が小さく、かつ、前記第２の基板切り欠き部が形成されていない領域に形成されていてもよい。
【００１８】
これにより、第１の基板切り欠き部の端部と第２の基板切り欠き部の端部とが重ならない、すなわち第１の基板の輪郭と第２の基板の輪郭とが重ならないので、切り欠き部近傍にかかる応力を更に緩和することができる。
【００１９】
また、例えば、前記引き出し領域は、湾曲形状に折り曲げられており、前記湾曲形状の湾曲開始位置は、前記第１の辺および前記第２の辺に接していてもよい。
【００２０】
このように、引き出し領域が湾曲状に折り曲げられることにより、引き出し領域が湾曲せずに折り曲げられる場合（例えば直角に折り曲げられる場合）と比較して、表示パネルにかかる応力を緩和することができる。また、湾曲開始位置が第１の辺および第２の辺に接することにより、表示パネルを表示側から平面視した場合に観察される引き出し領域を小さくできる。つまり、表示パネルを複数個用いてタイリングした際のつなぎ目を目立ちにくくできる。
【００２１】
また、例えば、前記表示領域は四角形の形状であり、前記非表示領域は、前記表示領域を囲み、前記第１の辺および前記第２の辺を含む四辺および前記切り欠き部によって囲まれていてもよい。
【００２２】
また、例えば、前記四辺は、前記第１の辺と、前記第２の辺と、前記第２の辺に隣り合う第３の辺と、前記第１の辺および前記第３の辺に隣り合う第４の辺とを含み、前記表示パネルは、前記第２の辺および前記第３の辺の間と、前記第３の辺および前記第４の辺の間と、前記第４の辺および前記第１の辺の間とにおいて、それぞれ、前記第２の辺の延長線と前記第３の辺の延長線との交点よりも前記表示領域側、前記第３の辺の延長線と前記第４の辺の延長線との交点よりも前記表示領域側、前記第４の辺の延長線と前記第１の辺の延長線との交点よりも前記表示領域側に切り欠きが形成され、前記引き出し領域は、前記第１から第４の辺を境界として、前記非表示領域の外側に隣接して位置する互いに独立の４つの領域からなってもよい。
【００２３】
また、本発明の一態様に係る表示装置は上記表示パネルを備える。具体的には、本発明の一態様に係る表示装置は、上記の表示パネルと、前記表示パネルが固定される支持部材と、を備え、前記表示パネルは、前記表示領域の表示側と逆の方向に折り曲げられて前記支持部材に固定される。
【００２４】
また、例えば、前記支持部材は、前記表示パネルの前記表示領域および前記非表示領域からなる領域と略同一の形状をした表面と、前記表面の周囲に位置する側面とを有し、前記表示パネルの前記表示領域および前記非表示領域は、前記支持部材の前記表面上に配置され、前記表示パネルの前記引き出し領域は、前記支持部材の前記側面上に配置されていてもよい。
【００２５】
（実施の形態）
以下、本発明を実施するための形態について、図面を参照しながら説明するが、当然ながら本発明はこれらの形式に限定されるものでなく、以下の実施の形態で示される数値、形状、材料、構成要素、構成要素の配置位置および接続形態、工程、工程の順序などは、一例であり、以下の実施の形態における構成要素のうち、最上位概念を示す独立請求項に記載されていない構成要素については、任意の構成要素として説明される。
【００２６】
なお、各図において、実質的に同一の構成部材については、同一の符号を付す。また、各図は、模式図であり、必ずしも厳密に図示したものではない。
【００２７】
[表示パネル]
本発明の実施の形態に係る表示パネルについて、図１Ａおよび図１Ｂを用いて説明する。図１Ａは、本発明の実施の形態に係る表示パネルの概略構成を模式的に示す図であり、折り曲げられる前の平面状の表示パネルの状態を示している。
【００２８】
図１Ａに示すように、表示パネル１０は、表示領域１と、表示領域１の外側に位置し、第１の辺２ａ、第２の辺２ｂ、第３の辺２ｃ、第４の辺２ｄと各辺（第１の辺２ａ、第２の辺２ｂ、第３の辺２ｃ、第４の辺２ｄ）の延長線とで囲まれた非表示領域３と、各辺を境界として非表示領域３の外側に張り出した引き出し領域４ａ、４ｂ、４ｃ、４ｄとを含む。この表示パネル１０は、引き出し領域４ａ、４ｂ、４ｃ、４ｄが表示領域１の表示側と逆の方向に折り曲げられることによって、タイリング方式に好適な形状を実現する。
【００２９】
表示領域１には、例えば、赤色（Ｒ）、緑色（Ｇ）、青色（Ｂ）の各色画素が周期的に配置されており、各画素が出射する表示光によりフルカラーの画像が表示される。なお、表示パネル１０は、カラー表示を行う表示パネルに限定するものではなく、モノクロ表示を行う表示パネルであっても良い。
【００３０】
非表示領域３は、表示領域１を囲むように表示領域１の四辺に対応して額縁状に形成され、例えば、表示領域１に配置された各色画素に電源および各種の制御信号を供給するための配線等が形成されている。表示パネル１０は、表示領域１及び非表示領域３において、略同一面を形成する。
【００３１】
引き出し領域４ａ、４ｂ、４ｃ、４ｄは、第１の辺２ａ、第２の辺２ｂ、第３の辺２ｃ、第４の辺２ｄを境界として、非表示領域３の外側に隣接して位置し、例えば、非表示領域３の配線に対して表示パネル１０の外部から電源および各種の制御信号を供給するための配線等が形成されている。この引き出し領域４ａ、４ｂ、４ｃ、４ｄは、第１の辺２ａ近傍、第２の辺２ｂ近傍、第３の辺２ｃ近傍、第４の辺２ｄ近傍で、表示領域１の表示側と逆の方向に折り曲げられる。
【００３２】
本実施の形態において、各引き出し領域４ａ、４ｂ、４ｃ、４ｄの平面視形状は、表示パネル１０を折り曲げた際に引き出し領域４ａ、４ｂ、４ｃ、４ｄ同士の重なりが生じないようにするために、略台形としている。なお、引き出し領域４ａ、４ｂ、４ｃ、４ｄの形状としては、略台形に限らず、例えば、第１の辺２ａ、第２の辺２ｂ、第３の辺２ｃ、第４の辺２ｄを１辺とする長方形の引き出し領域４ａ、４ｂ、４ｃ、４ｄとしてもよい。
【００３３】
また、この表示パネル１０は、第１の辺２ａおよび第２の辺２ｂの間に形成された切り欠き部５ａと、第２の辺２ｂおよび第３の辺２ｃの間に形成された切り欠き部５ｂと、第３の辺２ｃおよび第４の辺２ｄの間に形成された切り欠き部５ｃと、第４の辺２ｄおよび第１の辺２ａの間に形成された切り欠き部５ｄとを有する。つまり、非表示領域３は、第１の辺２ａ、第２の辺２ｂ、第３の辺２ｃ、および、第４の辺２ｄを含む四辺と、切り欠き部５ａ、５ｂ、５ｃ、５ｄとによって囲まれる。
【００３４】
表示パネル１０の詳細な断面構造については後述するが、図３を用いて簡単に説明する。
【００３５】
表示パネル１０は、表示領域１の表示側である光取り出し側に位置する第１の基板１１と、第１の基板１１に対向する第２の基板１２とを備え、第１の基板１１と第２の基板１２との間に有機ＥＬ層１４（電気光学層）が挟持された構成となっている。具体的には、第１の基板１１は、表示領域１、非表示領域３、および、引き出し領域４ａ、４ｂ、４ｃ、４ｄに設けられ、表示領域１の表示側である光取り出し側に位置する。第２の基板１２は、表示領域１、非表示領域３、および、引き出し領域４ａ、４ｂ、４ｃ、４ｄに設けられ、第１の基板１１に対向して位置する。有機ＥＬ層１４は、表示領域１に設けられ、第１の基板１１と第２の基板１２とに挟持されている。
【００３６】
次に、上述の切り欠き部５ａ、５ｂ、５ｃ、５ｄの構造について具体的に説明する。
【００３７】
図１Ｂは、図１Ａの、表示パネル１０の第１の辺２ａの延長線と第２の辺２ｂの延長線とが交わる部分の拡大図である。
【００３８】
図１Ｂに示すように、非表示領域３は第１の辺２ａおよび第２の辺２ｂの間に位置する第１の隅において、第１の辺２ａおよび第２の辺２ｂの延長線上よりも表示領域１側に位置する切り欠き部５ａを有している。言い換えると、第１の辺２ａと第２の辺２ｂとは、切り欠き部５ａを介して隣り合っている。
【００３９】
すなわち、非表示領域３は、第１の辺２ａおよび第２の辺２ｂの間に位置し、第１の辺２ａの延長線と第２の辺２ｂの延長線との交点Ｐ１よりも表示領域１側に形成された切り欠き部５ａを有する。
【００４０】
これにより、表示パネル１０を折り曲げる際に、第１の辺２ａおよび第２の辺２ｂの間に位置する第１の隅にかかる応力を緩和させることができる。なお、第１の隅とは、第１の辺２ａの延長線と第２の辺２ｂの延長線とからなる角の周辺に相当する。すなわち、切り欠き部５ａが形成されていない状態における非表示領域３の隅である。つまり、切り欠き部５ａが形成された状態における切り欠き部５ａ近傍である。
【００４１】
具体的には、本実施の形態に係る表示パネル１０は、切り欠き部５ａを設けずに第１の辺２ａと第２の辺２ｂとが接している場合と比較して、第１の辺２ａと第２の辺２ｂとの間に切り欠き部５ａが形成されていることにより、第１の辺２ａの第２の辺２ｂ側の端部、および、第２の辺２ｂの第１の辺２ａ側の端部にかかる応力を緩和させることができる。つまり、切り欠き部５ａ近傍にかかる応力を緩和することができる。その結果、強い応力がかかることによって表示パネル１０に歪みが生じ、その結果表示パネル１０が破断するといった不良を低減し、信頼性を向上することができる。
【００４２】
なお、ここでは切り欠き部５ａについて説明したが、他の切り欠き部５ｂ、５ｃ、５ｄについても同様の構造である。具体的には、表示パネル１０は、上述したように、第２の辺２ｂと第３の辺２ｃ、第３の辺２ｃと第４の辺２ｄ、第４の辺２ｄと第１の辺２ａのそれぞれの辺の間に位置する各隅において形成された切り欠き部５ｂ、５ｃ、５ｄを有する。すなわち、切り欠き部５ｂは、第２の辺２ｂの延長線と第３の辺２ｃの延長線との交点よりも表示領域１側に形成され、切り欠き部５ｃは、第３の辺２ｃの延長線と第４の辺２ｄの延長線との交点よりも表示領域１側に形成され、切り欠き部５ｄは、第４の辺２ｄの延長線と第１の辺２ａの延長線との交点よりも表示領域１側に形成されている。
【００４３】
また、切り欠き部５ａ、５ｂ、５ｃ、５ｄの形状としては、各辺と辺との間に位置する隅にかかる応力を緩和することができる形状であれば、特にこれに限ったものではなく、例えば、切り欠き部５ａの形状は図２に示すような形状であってもよい。
【００４４】
また、切り欠き部５ａの構造としては、第１の辺２ａの延長線と第２の辺２ｂの延長線との交点Ｐ１から表示領域１の最も近い角Ｐ２までの直線上において、非表示領域３内の切り欠き部５ａが存在する部分は、切り欠き部５ａが存在しない部分よりも短く、切り欠き部５ａが存在しない部分は、横からの水分浸入による有機ＥＬ層１４の劣化を引き起こさない長さを確保することとする。
【００４５】
すなわち、第１の辺２ａの延長線と第２の辺２ｂの延長線との交点Ｐ１から表示領域の複数の角のうち交点Ｐ１に最も近い角Ｐ２までの直線（以下、線分Ｐ１−Ｐ２と記載）上において、切り欠き部５ａが形成された範囲は、切り欠き部５ａが形成されていない範囲よりも短い。つまり、線分Ｐ１−Ｐ２において、切り欠き部５ａが形成された範囲の長さをＷ１、切り欠き部５ａが形成されていない範囲の長さをＷ２とした場合、Ｗ１＜Ｗ２を満たす。
【００４６】
これにより、表示パネル１０の端面から表示領域１までの距離を確保でき、切り欠き部５ａから表示領域１への水分の浸入を抑制できる。
【００４７】
また、線分Ｐ１−Ｐ２において切り欠き部５ａが形成された範囲の長さＷ１は、表示パネル１０の構成材料によって異なる。例えば、表示パネル１０の構成材料の可撓性が低いほど、引き出し領域４ａ，４ｂ，４ｃ，４ｄを折り曲げた際に応力が加わりやすい。よって、応力による表示パネル１０の破断等を低減するために、線分Ｐ１−Ｐ２において切り欠き部５ａが形成される範囲の長さＷ１を大きくする必要がある。
【００４８】
例えば、表示領域１と各引き出し領域（引き出し領域４ａ，４ｂ，４ｃ，４ｄ）との間の非表示領域３の幅が２５０μｍの場合、線分Ｐ１−Ｐ２において切り欠き部５ａが形成される範囲の長さＷ１を、線分Ｐ１−Ｐ２の長さＷ１＋Ｗ２に対して次のようにする。例えば、第１の基板１１が厚さ３０μｍのポリイミドの場合、Ｗ１／（Ｗ１＋Ｗ２）を２０％とし、第１の基板１１が厚さ７０μｍのポリエチレンナフタレートの場合、Ｗ１／（Ｗ１＋Ｗ２）を５０％とする。
【００４９】
また、後に詳細に述べるが、表示パネル１０として有機ＥＬパネルを用いた場合、図３に示すように有機ＥＬ層１４を水分から保護するための封止層１６が形成されるが、封止層１６の材料の封止性能に応じて、線分Ｐ１−Ｐ２において切り欠き部５ａが形成される範囲の長さＷ１を変えてもよい。具体的には、封止層１６の封止性能が高いほど、線分Ｐ１−Ｐ２において切り欠き部５ａが形成される範囲の長さＷ１を短くしてもよい。
【００５０】
また、図１Ｂに示すように、切り欠き部５ａは、第１の基板１１に形成された切り欠き部５１（第１の基板切り欠き部）と、第２の基板１２に形成された切り欠き部５２（第２の基板切り欠き部）とを有し、第２の基板１２に形成された切り欠き部５２よりも第１の基板１１に形成された切り欠き部５１の面積が大きい。
【００５１】
これにより、表示パネル１０を折り曲げる際に、第１の辺２ａおよび第２の辺２ｂの間に位置する第１の隅にかかる応力を更に緩和させることができる。具体的には、表示パネル１０を折り曲げる際には、第１の基板１１にかかる応力が第２の基板１２にかかる応力よりも大きい。よって、切り欠き部５２の面積よりも切り欠き部５１の面積を大きくすることにより、第１の基板１１にかかる応力をより緩和することができる。その結果、切り欠き部５１の面積と切り欠き部５２の面積とが同じである場合と比較して、第１の隅（切り欠き部５ａ近傍）、第２の隅（切り欠き部５ｂ近傍）、第３の隅（切り欠き部５ｃ近傍）および第４の隅（切り欠き部５ｄ近傍）にかかる応力を更に緩和することができる。
【００５２】
ここで、第１の基板１１に形成された切り欠き部５１の面積とは、表示パネル１０を折り曲げる前の状態で平面視した場合に、切り欠き部５ａにおいて、第１の辺２ａの延長線と第２の辺２ｂの延長線と第１の基板１１の輪郭線とで囲まれる面積である。また、第２の基板１２に形成された切り欠き部５２の面積とは、表示パネル１０を折り曲げる前の状態で平面視した場合に、切り欠き部５ａにおいて、第１の辺２ａの延長線と第２の辺２ｂの延長線と第２の基板１２の輪郭線とで囲まれる面積である。
【００５３】
また、図１Ｂに示すように、第１の基板１１は、非表示領域３および引き出し領域４ａ、４ｂにおいて第２の基板１２よりも面積が小さく、かつ、切り欠き部５２が形成されていない領域に形成されている。つまり、表示パネル１０を折り曲げる前の状態で表示領域１の表示側から平面視した場合、切り欠き部５ａの近傍では、第１の基板１１の周縁から第２の基板１２が視認される。言い換えると、第１の基板１１の輪郭と第２の基板１２の輪郭とが重ならない。なお、図１Ｂでは切り欠き部５ａについて説明したが、他の切り欠き部５ｂ、５ｃ、５ｄについても同様である。
【００５４】
これにより、第１の基板１１に形成されている切り欠きの端部と、第２の基板１２に形成されている切り欠きの端部とが重ならないので、切り欠き部５ａ、５ｂ、５ｃ、５ｄ近傍（第１〜第４の隅）にかかる応力を更に緩和することができる。
【００５５】
以上のように、本実施の形態に係る表示パネル１０は、複数の画素が形成された四角形の表示領域１と、表示領域１の外側に隣接して位置する非表示領域３と、第１の辺２ａ、第２の辺２ｂ、第３の辺２ｃ、第４の辺２ｄを境界として、非表示領域３の外側に隣接して位置する引き出し領域４ａ、４ｂ、４ｃ、４ｄとを含み、引き出し領域４ａ、４ｂ、４ｃ、４ｄは、非表示領域３との境界近傍で表示領域１の表示側と逆の方向に折り曲げられ、非表示領域３は切り欠き部５ａ、５ｂ、５ｃ、５ｄを有する。
【００５６】
これにより、表示パネル１０は、引き出し領域４ａ、４ｂ、４ｃ、４ｄを折り曲げる際に、第１の辺２ａおよび第２の辺２ｂの間に位置する第１の隅、第２の辺２ｂおよび第３の辺２ｃの間に位置する第２の隅、第３の辺２ｃおよび第４の辺２ｄの間に位置する第３の隅、第４の辺２ｄおよび第１の辺２ａの間に位置する第４の隅にかかる応力を緩和することができる。その結果、各隅（第１の隅、第２の隅、第３の隅、第４の隅）における表示パネル１０の破断を抑制することができる。よって、表示パネル１０は、不良を低減し、信頼性を向上することができる。
【００５７】
なお、本実施の形態では、表示領域１の形状は四角形（例えば、略正方形）としたが、例えば三角形、あるいは六角形などの多角形であってもよい。つまり、表示領域１の形状は、引き出し領域４ａ、４ｂ、４ｃ、４ｄが折り曲げられた状態で表示パネル１０を隣り合わせて並べたときに、表示パネル１０同士の間に隙間が生じない形状であれば、その他の形状のものを用いることができる。
【００５８】
また、上記説明で、切り欠き部５ａの形状は図１Ｂに示す形状に限らず、例えば図２に示す形状でもよいと説明したが、表示パネル１０を平面視した状態において、表示パネル１０の切り欠き部５ａを形成する辺のそれぞれと、線分Ｐ１−Ｐ２とが成す角は９０°未満であることが望ましい。具体的には、図２に示すように、第１の基板１１の切り欠き部５１を形成する辺のそれぞれと線分Ｐ１−Ｐ２とが成す角θ１、および、第２の基板１２の切り欠き部５２を形成する辺のそれぞれと線分Ｐ１−Ｐ２とが成す角θ２は、９０°未満であることが望ましい。
【００５９】
これにより、表示領域１の端部から表示パネル１０の端部までの距離を確保することができ、切り欠き部５ａから有機ＥＬ層１４へ水分が浸入してしまうことによる有機ＥＬ層１４の劣化を、より確実に抑制できる。
【００６０】
次に表示パネル１０の各構成要素について、図３を用いて詳細に説明する。なお、本実施の形態では、表示パネル１０の一例として、パッシブマトリクス駆動方式でトップエミッション型の有機ＥＬパネルで説明するが、これに限定されるものではない。
【００６１】
図３に示すように、表示パネル１０は、フレキシブル素材からなる第２の基板１２と、第２の基板１２上に形成された光不透過性を有する電極配線１３と、電極配線１３上に形成され、発光層を含む電気光学層である有機ＥＬ層１４と、有機ＥＬ層１４上に形成された電極配線１５とを有し、電極配線１３、有機ＥＬ層１４および電極配線１５からなる有機ＥＬ素子１８が封止層１６および第１の基板１１によって封止されて構成されている。なお、表示領域１の表示側である光取り出し側の基板である第１の基板１１も、フレキシブル素材によって構成されている。
【００６２】
第１の基板１１および第２の基板１２としては、可撓性を有する基板であればよく、例えば、ポリエチレンテレフタレート、ポリエチレンナフタレートもしくはポリブチレンテレフタレートなどのポリエステル、トリアセチルセルロースもしくはジアセチルセルロースなどのセルロース樹脂、ポリエチレン、ポリカーボネート、ポリアリレート、ポリスルフォン、ポリエーテルスルフォン、ポリエーテルイミド、ポリイミド、ポリオレフィン、または、ポリメタクリル酸メチルなどのアクリル樹脂、などを用いることができる。また、第１の基板１１および第２の基板１２としては、その他の透明樹脂からなる透明樹脂基板を用いることができる。
【００６３】
上述のとおり、有機ＥＬパネルである表示パネル１０は、図３に示すように、第２の基板１２の一面に、電極配線１３、有機ＥＬ層１４、電極配線１５が順に積層された構成であり、有機ＥＬ層１４および電極配線１５を覆うように封止層１６を形成して封止している。
【００６４】
電極配線１３は、例えばアノードとして機能し、図示はしていないが、表示領域１において列方向に複数本形成されている。また、電極配線１５は、例えばカソードとして機能し、表示領域１において行方向に複数本形成されている。すなわち、電極配線１３と電極配線１５とは直交して形成されている。
【００６５】
また、電極配線１３および電極配線１５のそれぞれの一方の端部は、表示領域１を超えて非表示領域３、さらには引き出し領域４ａ、４ｂ、４ｃ、４ｄにまで延設されており、延設された端部にて露出した部分がそれぞれ電極端子として機能する。但し、これに限定されることはなく、４つの引き出し領域４ａ、４ｂ、４ｃ、４ｄのいずれかのパネル端部に電極端子が形成されていればよい。
【００６６】
電極配線１３は、仕事関数の低い材料で形成されているとよく、例えば、Ａｌ、Ｃａ、Ｍｇなどの金属またはその化合物、あるいはそれらを含む合金などを用いることができる。また、トップエミッション型の有機ＥＬパネルでは、上部電極である電極配線１５を通して光を取り出す必要があるので、電極配線１５は、有機ＥＬ素子１８からの光に対して透明であることが好ましい。また、電極配線１５としては、仕事関数の高い材料で形成されているとよく、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（酸化亜鉛）、ＳｎＯ（酸化錫）などの導電性酸化金属からなる透明電極、または、例えばＣｒ、Ｍｏ、Ｎｉ、Ｐｔ、Ａｕなどの金属またはその化合物、あるいはそれらを含む合金からなる細線状の電極を用いることができる。
【００６７】
有機ＥＬ層１４は、一般的な方法により形成することができる。有機ＥＬ層１４は、複数の層によって形成されることが多く、例えば、下層から、電子注入層、電子輸送層、発光層、ホール輸送層などが形成される。なお、ホール輸送層と上部電極である電極配線１５との間にホール注入層を設ける場合もある。有機ＥＬ層１４の上には、電極配線１５が形成される。
【００６８】
有機ＥＬ層１４の各層の材料も一般的な材料を用いることができ、例えば、以下の材料を用いることができる。
【００６９】
電子輸送層としては、電子輸送性を示し、アルカリ金属と共蒸着することにより電荷移動錯体化しやすいものを用いることができ、例えばトリス（８−キノリノラート）アルミニウム、トリス（４−メチル−８−キノリノラート）アルミニウム、ビス（２−メチル−８−キノリノラート）−４−フェニルフェノラート−アルミニウム、ビス（２−（２−ヒドロキシフェニル）ベンゾオキサゾラート）亜鉛などの金属錯体や２−（４−ビフェニリル）−５−（４−ｔｅｒｔ−ブチルフェニル）−１，３，４−オキシジアゾール、１，３−ビス（５−（ｐ−ｔｅｒｔ−ブチルフェニル）−１，３，４−オキシジアゾール−２−イル）ベンゼンなどを用いることができる。
【００７０】
電子注入層としては、電子輸送層に用いた物質に対して電子供与性を示す材料を共蒸着して形成することができる。電子供与性を示す材料は、例えば、リチウム、セシウムなどのアルカリ金属、マグネシウム、カルシウムなどのアルカリ土類金属、さらには希土類金属などの金属類、あるいはそれらの酸化物、ハロゲン化合物、炭酸化物などから選択できる。
【００７１】
ホール輸送層としては、例えば、テトラアリールベンジシン化合物（トリフェニルジアミン：ＴＰＤ）、芳香族三級アミン、ヒドラゾン誘導体、カルバゾール誘導体、トリアゾール誘導体、イミダゾール誘導体、アミノ基を有するオキサジアゾール誘導体、ポリチオフェン誘導体、銅フタロシアニン誘導体などを用いることができる。
【００７２】
発光層の材料としては、電子やホールの輸送能力を有するホスト材料に、それらの再結合により蛍光もしくはりん光を発するドーパントを添加したものを用いればよく、例えば、ホストとしてはトリス（８−キノリノラト）アルミニウム、ビス（８−ニノリノラト）マグネシウム、ビス（ベンゾ｛ｆ｝−８−キノリノラト）亜鉛、ビス（２−メチル−８キノリノラト）アルミニウムオキシド、トリス（８−キノリノラト）インジウム、トリス（５−メチル−８−キノリノラト）アルミニウム、８−キノリノラトリチウム、トリス（５−クロロ−８−キノリノラト）ガリウム、ビス（５−クロロ−８−キノリノラト）カルシウム、５，７−ジクロル−８−キノリノラトアルミニウム、トリス（５，７−ジブロモ−８−ヒドロキシキノリノラト）アルミニウム、ポリ（亜鉛（ＩＩ）−ビス（８−ヒドロキシ−５−キノリニル）メタン）のような錯体、アントラセン誘導体、カルバゾール誘導体、などを用いることができる。
【００７３】
また、ドーパントとしては、ホスト中で電子とホールを捉えて再結合させ発光するものであって、例えば赤色に対応する発光層では、ピラン誘導体、緑色に対応する発光層ではクマリン誘導体、青色に対応する発光層は、アントラセン誘導体などの蛍光を発光する物質やもしくはイリジウム錯体、ピリジナート誘導体などりん光を発する物質であってもよい。
【００７４】
なお、有機ＥＬ層１４が端部において段切れによって破壊することを起こりにくくするために、画素（サブピクセル）と画素（サブピクセル）との間には、バンク１７が形成される。バンク１７は有機材料で形成する場合もあるし、ＳｉＮのような無機材料で形成する場合もある。バンク１７の材料として有機材料を用いる場合、一般にはアクリル樹脂によって形成される。
【００７５】
電極配線１５は、有機ＥＬ層１４の上およびバンク１７の上などに、蒸着あるいはスパッタリングなどによって形成される。また、有機ＥＬ層１４に水分が存在すると発光効率が低下するので、有機ＥＬ層１４を水分から保護するために封止層１６が形成される。封止層１６は、一例として、窒化ケイ素（ＳｉＮｘ）、窒化酸化ケイ素（ＳｉＯｘＮｙ）、酸化アルミニウム（ＡｌＯｘ）、窒化アルミニウム（ＡｌＮｘ）などの無機材料や、ポリパラキシリレンのような比較的防湿性の高い有機材料を用いて薄膜状に形成される。
【００７６】
このように構成される表示パネル１０は、例えば、次のようにして製造することができる。
【００７７】
まず、第２の基板１２の上に、電極配線１３の材料となる導電性薄膜を成膜し、フォトリソグラフィーおよびエッチングなどによって導電性薄膜をパターニングすることによって、所定形状の複数本の電極配線１３を形成する。
【００７８】
次に、電極配線１３の上面に、例えば、蒸着法を用いて、電子注入層、電子輸送層、発光層、ホール輸送層などの複数の薄膜を順に積層して、有機ＥＬ層１４を形成する。その後、さらに蒸着法を用いて、複数本の電極配線１５を形成した後、プラズマＣＶＤ法などを用いて封止層１６を全面に成膜して封止する。
【００７９】
なお、本実施の形態では、表示パネル１０として、パッシブマトリクス駆動方式の有機ＥＬパネルを用いたが、これに限らない。例えば、表示パネル１０として、アクティブマトリクス駆動方式の有機ＥＬパネルを用いることもできる。この場合、第２の基板１２と電極配線１３との間に、画素を選択するためのスイッチング用のＴＦＴを画素ごとに設ける。この場合、さらにＴＦＴを保護するためにパッシベーション膜を形成してもよい。なお、ＴＦＴを設けなくても、有機ＥＬ層１４が形成される面を平坦化するためにパッシベーション膜を形成してもよい。
【００８０】
以上、本実施の形態における表示パネル１０によれば、非表示領域３を囲む各辺と辺の間に位置する隅において、当該各辺と辺の延長線上よりも表示領域１側に位置する切り欠き部５ａ、５ｂ、５ｃ、５ｄを有する。これにより、引き出し領域４ａ、４ｂ、４ｃ、４ｄを非表示領域３との境界近傍で、表示領域１の光取り出し側と逆の方向に折り曲げる際に、非表示領域３を囲む各辺と辺の間に位置する隅にかかる応力を緩和できるので、各隅で発生する第１の基板１１および封止層１６の割れを起こりにくくすることができる。その結果、第１の基板１１および封止層１６の割れ部からの水分浸入による有機ＥＬ素子１８の劣化を抑制し、信頼性を向上させることができる。
【００８１】
[表示装置]
次に、上記の表示パネル１０を用いた本発明の実施の形態に係る表示装置について、図４を用いて説明する。図４の（ａ）は、本発明の実施の形態に係る表示装置の構成を示す平面図であり、図４の（ｂ）は、図４の（ａ）のａ−ａ線における表示装置の側断面図である。
【００８２】
図４の（ａ）に示すように、表示装置２０の外形は、平面視において、表示領域１の四角形と略同じ態様となっている。具体的には、表示領域１を囲むように表示領域１の四辺に対応して非表示領域３が視認される。また、切り欠き部５ａ、５ｂ、５ｃ、５ｄと共に非表示領域３を囲む第１の辺２ａ、第２の辺２ｂ、第３の辺２ｃ、第４の辺２ｄを境界として、非表示領域の外側に隣接して位置する引き出し領域４ａ、４ｂ、４ｃ、４ｄが視認される。ここで、非表示領域３および引き出し領域４ａ、４ｂ、４ｃ、４ｄの幅はわずかであるため、表示装置２０の外形は、平面視において、表示領域１の四角形と略同様に観察されている。これは、図４の（ｂ）に示すように、引き出し領域４ａ、４ｂ、４ｃ、４ｄを、非表示領域３との境界近傍で、表示領域１の表示側と逆の方向に折り曲げたことにより実現している。
【００８３】
また、図４の（ｂ）に示すように、引き出し領域４ａ、４ｂ、４ｃ、４ｄは、非表示領域３との境界近傍で表示領域１の表示側とは逆の方向に向かって、湾曲形状に折り曲げられている。これにより、引き出し領域４ａ、４ｂ、４ｃ、４ｄが湾曲せずに折り曲げられる場合（例えば直角に折り曲げられる場合）と比較して、表示パネル１０にかかる応力を緩和することができる。
【００８４】
図４の（ａ）および（ｂ）に示すように、本発明の実施の形態に係る表示装置２０は、先述した表示パネル１０と、表示パネル１０を固定（支持）するための支持部材２１ａ、２１ｂとを備える。支持部材２１ａはネジ２２を備えており、支持部材２１ｂにはネジ２２を挿通させるための貫通孔が設けられている。詳しくは、まず、表示パネル１０の引き出し領域４ａ、４ｂ、４ｃ、４ｄの各々は、非表示領域３との境界近傍で、表示領域１の光取り出し側と逆の方向に支持部材２１ａ全体を覆うように折り曲げられ、支持部材２１ａに備えられたネジ２２に支持部材２１ｂの貫通孔を通し、表示パネル１０を押さえてナット２３で止めることにより挟持されている。なお、ネジ２２の頭は、表示パネル１０への悪影響を避けるために、支持部材２１ａの内部に埋め込んでおくことが望ましい。また、ネジ２２の位置は、表示パネル１０の封止部材の幅や各電極の配置関係を考慮することが好ましい。
【００８５】
なお、本発明の実施の形態では、上述したような方法で表示パネル１０を支持部材２１ａ、２１ｂに固定したが、これに限ったものではない。
【００８６】
また、支持部材２１ａの平面領域の形状は、表示パネル１０の表示領域１および非表示領域３からなる領域と略同一形状である。また、この支持部材２１ａは、表面の周辺に位置する側面を有する。
【００８７】
図５は表示装置２０の角部の拡大図である。図５に示すように、本発明の実施の形態に係る表示装置２０は、表示パネル１０における非表示領域３を囲む各辺と辺との間に位置する隅において、各辺と辺の延長線上よりも表示領域１側に位置する切り欠き部５ａ、５ｂ、５ｃ、５ｄを有する。これにより、表示パネル１０を折り曲げて支持部材２１ａに固定する際に、支持部材２１ａの四隅上に切り欠き部５ａ、５ｂ、５ｃ、５ｄが存在することになる。したがって、表示パネル１０の各隅にかかる応力を緩和することにより、第１の基板１１および封止層１６の割れを起こりにくくすることができる。その結果、第１の基板１１および封止層１６の割れ部からの水分浸入による有機ＥＬ素子１８の劣化を抑制し、信頼性を向上させることができる。
【００８８】
本実施の形態では、支持部材２１ａの裏の面に位置する引き出し領域４ａ、４ｂ、４ｃ、４ｄの端部が支持部材２１ｂによって支持部材２１ａ側に押し付けられている。これにより、折り曲げによる表示パネル１０の復元力が支持部材２１ｂの対向端部において均等に加わることになるので、表示パネル１０を容易に保持することが可能となる。したがって、表示パネル１０は、折り曲げられた状態で、支持部材２１ａと２１ｂとによって強固に支持固定される。なお、表示パネル１０において、折り曲げた状態とは、表示パネル１０の略平面である表示領域１に対して０度よりも大きい角度で外側の方向へ膨らむ凸部を有し、少なくとも１箇所以上曲げることを意味する。
【００８９】
本実施の形態において、支持部材２１ａの厚みは、支持部材２１ｂの厚みよりも厚くしている。なお、支持部材２１ａそのものの厚みが薄すぎると、支持部材２１ａの背面にまで表示パネル１０を折り曲げたときに、表示パネル１０が破断してしまうおそれがある。支持部材２１ａの厚みは、少なくとも表示パネル１０が折り曲げに耐えうる曲率半径の２倍以上とする。また、支持部材２１ａ、２１ｂの材質は特に限定されるものではないが、一例として、アクリルなどの樹脂やアルミなどの金属などを用いることができる。
【００９０】
さらに、表示パネル１０と支持部材２１ａとの固定をサポートするために、表示領域１における表示パネル１０の非光取り出し側と支持部材２１ａの表示パネル側との間に接着剤や滑り止めシートを貼り付けてもよい。
【００９１】
また、本発明の実施の形態では、支持部材２１ａの角部は、断面の輪郭線が所定の曲率半径を有している。支持部材２１ａの角部は所定の曲率半径を有することによって、表示パネル１０の引き出し領域４ａ、４ｂ、４ｃ、４ｄを支持部材２１ａの角部に沿わせて折り曲げることで、表示パネル１０の折り曲げ部分の曲率半径を規定することができる。さらに、表示装置２０を表示側から平面視した場合に観察される引き出し領域４ａ、４ｂ、４ｃ、４ｄの幅を制御することができる。また、曲率半径を表示パネル１０の折り曲げ可能な値に設定することによって、表示パネル１０における基板（第１の基板１１、第２の基板１２）や電極配線の破損などを起こりにくくすることができる。
【００９２】
以上のように、本実施の形態に係る表示装置２０は、表示パネル１０と、表示パネル１０が固定される支持部材２１ａとを備え、表示パネル１０は、表示領域１の表示側と逆の方向に折り曲げられて支持部材２１ａに固定される。また、支持部材２１ａは、表示パネル１０の表示領域１および非表示領域３からなる領域と略同一の形状をした表面と、表面の周囲に位置する側面とを有し、表示パネル１０の表示領域１および非表示領域３は、支持部材２１ａの表面上に配置され、表示パネル１０の引き出し領域４ａ、４ｂ、４ｃ、４ｄは、支持部材２１ａの側面上に配置されている。
【００９３】
なお、上記構成では引き出し領域４ａ、４ｂ、４ｃ、４ｄは、非表示領域３との境界近傍で折り曲げられるとしたが、湾曲形状に折り曲げられた引き出し領域４ａ、４ｂ、４ｃ、４ｄの湾曲開始位置Ｒｓは、第１の辺２ａ、第２の辺２ｂ、第３の辺２ｃ、および、第４の辺２ｄに接していてもよい。
【００９４】
これにより、表示パネル１０を表示側から平面視した場合に観察される引き出し領域４ａ、４ｂ、４ｃ、４ｄを最も小さくできる。つまり、表示パネル１０を複数個用いてタイリングした際のつなぎ目を更に目立ちにくくできる。
【００９５】
また、上記説明では、引き出し領域４ａ、４ｂ、４ｃ、４ｄは、非表示領域３との境界近傍から湾曲形状に折り曲げられるとしたが、境界近傍とは境界自身、すなわち第１の辺２ａ、第２の辺２ｂ、第３の辺２ｃ、第４の辺２ｄを含む。また、境界近傍とは、境界から表示パネル１０の厚さ、第１の基板１１の厚さ、および、第２の基板１２の厚さ等だけ離れていてもよい。
【００９６】
以上、本発明に係る表示パネルおよび表示装置について、実施の形態に基づいて説明したが、本発明は、上記の実施の形態に限定されるものではない。本発明の趣旨を逸脱しない限り、当業者が思いつく各種変形を本実施の形態に施したものも、本発明の範囲内に含まれる。
【００９７】
また、上述したような表示装置２０を複数個行列状に組み合わせ、これら複数個の表示装置２０を筐体３０に固定することによって、図６に示すような１つの大きな表示画面を有するディスプレイ１００を構成することが可能である。
【産業上の利用可能性】
【００９８】
以上のように本発明による表示パネルは、ディスプレイ装置や照明装置などの表示装置に適用することができる。特に、小型の表示パネルを継ぎ合わせて大型化ディスプレイを実現するのに有用である。
【符号の説明】
【００９９】
１    表示領域
２ａ    第１の辺
２ｂ    第２の辺
２ｃ    第３の辺
２ｄ    第４の辺
３    非表示領域
４ａ、４ｂ、４ｃ、４ｄ    引き出し領域
５ａ、５ｂ、５ｃ、５ｄ、５１、５２    切り欠き部
１０    表示パネル
１１    第１の基板
１２    第２の基板
１３    電極配線
１４    有機ＥＬ層
１５    電極配線
１６    封止層
１７    バンク
１８    有機ＥＬ素子
２０    表示装置
２１ａ、２１ｂ    支持部材
２２    ネジ
２３    ナット
１００    ディスプレイ
【図１Ａ】
2014132319.tif 000003
【図１Ｂ】
2014132319.tif 000004
【図２】
2014132319.tif 000005
【図３】
2014132319.tif 000006
【図４】
2014132319.tif 000007
【図５】
2014132319.tif 000008
【図６】
2014132319.tif 000009